(57)【要約】【課題】  従来は、異なるＯＡＭ方式の装置を接続した場合にパス監視ができなくなるという問題があった。【解決手段】  本発明に係るＯＡＭパケット変換方法は、ＭＰＬＳ−ＴＰにおけるＯＡＭ方式が異なる第１装置と第２装置とが混在するネットワークで用いられるＯＡＭパケット変換方法において、前記第１装置から受信するＹ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドを、ＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドにそれぞれマッピングして前記第２装置に転送することを特徴とする。【選択図】図４
2013005028.tif 000002
【特許請求の範囲】
【請求項１】
ＭＰＬＳ−ＴＰにおけるＯＡＭ方式が異なる第１装置と第２装置とが混在するネットワークで用いられるＯＡＭパケット変換方法において、
前記第１装置から受信するＹ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドを、ＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドにそれぞれマッピングして前記第２装置に転送する
ことを特徴とするＯＡＭパケット変換方法。
【請求項２】
請求項１に記載のＯＡＭパケット変換方法において、
前記第２装置から受信するＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドを、Ｙ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドにそれぞれマッピングして前記第１装置に転送する
ことを特徴とするＯＡＭパケット変換方法。
【請求項３】
請求項２に記載のＯＡＭパケット変換方法において、
前記マッピング時にＹ．１７３１規格のＯＡＭパケットとＢＦＤ規格のＯＡＭパケットとの間に対応する情報が無いデータ領域に、予め設定されたデフォルトデータをマッピングする
ことを特徴とするＯＡＭパケット変換方法。
【請求項４】
前段の装置からパケットを受信する受信部と、
前記受信部が受信したパケットをデータパケットと第１方式のＯＡＭパケットとに分離するパケット分離部と、
前記第１方式のＯＡＭパケットを第２方式のＯＡＭパケットに変換するための情報を保持するＯＡＭ変換データベースと、
前記パケット分離部が分離した前記第１方式のＯＡＭパケットを前記ＯＡＭ変換データベースを参照して前記第２方式のＯＡＭパケットに変換するＯＡＭ変換部と、
前記ＯＡＭ変換部が変換した前記第２方式のＯＡＭパケットと前記パケット分離部が分離したデータパケットとを多重するパケット多重部と、
前記パケット多重部が多重したパケットを後段の装置に送信する送信部と
を有することを特徴とするＯＡＭパケット変換装置。
【請求項５】
請求項４に記載のＯＡＭパケット変換装置において、
前記受信部は、前段の装置からＭＰＬＳ−ＴＰに対応するパケットを受信し、
前記パケット分離部は、前記受信部が前段の装置から受信するＭＰＬＳ−ＴＰに対応するパケットをデータパケットとＹ．１７３１ベースのＯＡＭパケットとに分離し、
前記ＯＡＭ変換データベースは、Ｙ．１７３１ベースのＯＡＭパケットをＢＦＤベースのＯＡＭパケットに変換するための情報を保持し、
前記ＯＡＭ変換部は、Ｙ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドを、ＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドにそれぞれマッピングし、
前記パケット多重部は、前記ＯＡＭ変換部が変換した前記ＢＦＤベースのＯＡＭパケットと前記パケット分離部が分離したデータパケットとを多重し、
前記送信部は、前記パケット多重部が多重したＭＰＬＳ−ＴＰに対応するパケットを後段の装置に送信する
ことを特徴とするＯＡＭパケット変換装置。
【請求項６】
請求項４に記載のＯＡＭパケット変換装置において、
前記受信部は、前段の装置からＭＰＬＳ−ＴＰに対応するパケットを受信し、
前記パケット分離部は、前記受信部が前段の装置から受信するＭＰＬＳ−ＴＰに対応するパケットをデータパケットとＢＦＤベースのＯＡＭパケットとに分離し、
前記ＯＡＭ変換データベースは、ＢＦＤベースのＯＡＭパケットをＹ．１７３１ベースのＯＡＭパケットに変換するための情報を保持し、
前記ＯＡＭ変換部は、ＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドを、Ｙ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドにそれぞれマッピングし、
前記パケット多重部は、前記ＯＡＭ変換部が変換したＹ．１７３１ベースのＯＡＭパケットと前記パケット分離部が分離したデータパケットとを多重し、
前記送信部は、前記パケット多重部が多重したＭＰＬＳ−ＴＰに対応するパケットを後段の装置に送信する
ことを特徴とするＯＡＭパケット変換装置。
【請求項７】
請求項５または６に記載のＯＡＭパケット変換装置において、
前記マッピング時にＹ．１７３１規格のＯＡＭパケットとＢＦＤ規格のＯＡＭパケットとの間に対応する情報が無いデータ領域に、予め設定されたデフォルトデータをマッピングする
ことを特徴とするＯＡＭパケット変換装置。
【請求項８】
請求項４から７の何れか一項に記載のＯＡＭパケット変換装置において、
ＭＰＬＳ−ＴＰに対応するパケットのＬＳＰラベルに基づいてスイッチングするスイッチ部を更に設け、ＭＰＬＳ−ＴＰスイッチとして動作する
ことを特徴とするＯＡＭパケット変換装置。
【請求項９】
請求項４から８の何れか一項に記載のＯＡＭパケット変換装置において、
前記パケット分離部は、ＯＡＭ変換を行うパケットと、ＯＡＭ変換を行わないパケットとを判別して、ＯＡＭ変換を行うＯＡＭパケットをＯＡＭ変換部に出力し、ＯＡＭ変換を行わないＯＡＭパケットは前記パケット多重部に出力する
ことを特徴とするＯＡＭパケット変換装置。
【発明の詳細な説明】
【技術分野】
【０００１】
本発明は、ＯＡＭパケットの伝送技術に関する。
【背景技術】
【０００２】
近年、ＡＴＭやＳＤＨと同等の伝送品質で通信サービスを提供するコネクションオリエンテッドな伝送技術として、ＭＰＬＳ−ＴＰ（Ｍｕｌｔｉ  Ｐｒｏｔｏｃｏｌ  Ｌａｂｅｌ  Ｓｗｉｔｃｈｉｎｇ−Ｔｒａｎｓｐｏｒｔ  Ｐｒｏｆｉｌｅ）が注目されている。ＭＰＬＳ−ＴＰでは、ＩＰ網などで仮想パスを構築してＯＡＭ（Ｏｐｅｒａｔｉｏｎ  Ｍａｉｎｔｅｎａｎｃｅ，  ａｎｄ  Ｍａｎａｇｅｍｅｎｔ）機能を実現することによって、同期網と同等の保守運用管理が可能である（例えば、非特許文献１参照）。
【０００３】
ＭＰＬＳ−ＴＰは、ラベルスイッチドパス（ＬＳＰ）上の装置間で制御用のパケット（ＭＰＬＳ−ＴＰ  ＯＡＭパケット）を交換することによりパスの監視を行う。ＭＰＬＳ−ＴＰ  ＯＡＭ機能として、例えばＣＣ／ＣＶ、ＲＤＩ、ＡＩＳ、ＬＭ、ＤＭ、ＣＳＦなどが提案されている（例えば、非特許文献２参照）。
【０００４】
ＭＰＬＳ−ＴＰは、ＩＥＴＦやＩＴＵ−Ｔなどの組織により標準化が進められているが、ＭＰＬＳ−ＴＰ  ＯＡＭとしてベース技術が異なるＹ．１７３１ベースＯＡＭ（例えば、非特許文献３参照）とＢＦＤベースＯＡＭ（例えば、非特許文献４から非特許文献７参照）の２つの方式が提案されている。
【先行技術文献】
【非特許文献】
【０００５】
【非特許文献１】RFC 5921 (draft-ietf-mpls-tp-framework)：A Framework for MPLS in Transport Networks
【非特許文献２】draft-ietf-mpls-tp-oam-framework:Operations, Administration and Maintenance Framework for MPLS-based Transport Networks
【非特許文献３】draft-bhh-mpls-tp-oam-y1731:MPLS-TP OAM based on Y.1731
【非特許文献４】draft-ietf-mpls-tp-cc-cv-rdi:Proactive Connectivity Verification, Continuity Check and Remote Defect indication for MPLS Transport Profile
【非特許文献５】draft-ietf-mpls-tp-on-demand-cv:MPLS On-demand Connectivity Verification and Route Tracing
【非特許文献６】draft-ietf-mpls-tp-fault:MPLS Fault Management OAM
【非特許文献７】draft-frost-mpls-tp-loss-delay:Packet Loss and Delay Measurement for the MPLS Transport Profile
【発明の概要】
【発明が解決しようとする課題】
【０００６】
ところが、Ｙ．１７３１ベースＯＡＭをサポートしている装置とＢＦＤベースＯＡＭをサポートしている装置とが混在しているネットワークにおいて、ＢＦＤベースＯＡＭしかサポートしていない装置とＹ．１７３１ベースＯＡＭしかサポートしていない装置とを接続した場合に、パス監視ができなくなるという問題が生じる。
【０００７】
本発明の目的は、ＢＦＤベースのＯＡＭしかサポートしていない装置とＹ．１７３１ベースのＯＡＭしかサポートしていない装置とを接続した場合でも、パス監視を行うことができるＯＡＭパケット変換方法およびＯＡＭパケット変換装置を提供することである。
【課題を解決するための手段】
【０００８】
本発明に係るＯＡＭパケット変換方法は、ＭＰＬＳ−ＴＰにおけるＯＡＭ方式が異なる第１装置と第２装置とが混在するネットワークで用いられるＯＡＭパケット変換方法において、前記第１装置から受信するＹ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドを、ＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドにそれぞれマッピングして前記第２装置に転送することを特徴とする。
【０００９】
これにより、異なるＯＡＭ方式に対応するＢＦＤベースＯＡＭしかサポートしていない装置とＹ．１７３１ベースＯＡＭしかサポートしていない装置とが混在するネットワークでもパス監視を行うことができる。
【００１０】
特に、前記第２装置から受信するＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドを、Ｙ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドにそれぞれマッピングして前記第１装置に転送することを特徴とする。
【００１１】
さらに、前記マッピング時にＹ．１７３１規格のＯＡＭパケットとＢＦＤ規格のＯＡＭパケットとの間に対応する情報が無いデータ領域に、予め設定されたデフォルトデータをマッピングすることを特徴とする。
【００１２】
本発明に係るＯＡＭパケット変換装置は、前段の装置からパケットを受信する受信部と、前記受信部が受信したパケットをデータパケットと第１方式のＯＡＭパケットとに分離するパケット分離部と、前記第１方式のＯＡＭパケットを第２方式のＯＡＭパケットに変換するための情報を保持するＯＡＭ変換データベースと、前記パケット分離部が分離した前記第１方式のＯＡＭパケットを前記ＯＡＭ変換データベースを参照して前記第２方式のＯＡＭパケットに変換するＯＡＭ変換部と、前記ＯＡＭ変換部が変換した前記第２方式のＯＡＭパケットと前記パケット分離部が分離したデータパケットとを多重するパケット多重部と、前記パケット多重部が多重したパケットを後段の装置に送信する送信部とを有することを特徴とする。
【００１３】
これにより、異なるＯＡＭ方式に対応する装置が混在するネットワークでもパス監視を行うことができる。
【００１４】
特に、前記受信部は、前段の装置からＭＰＬＳ−ＴＰに対応するパケットを受信し、前記パケット分離部は、前記受信部が前段の装置から受信するＭＰＬＳ−ＴＰに対応するパケットをデータパケットとＹ．１７３１ベースのＯＡＭパケットとに分離し、前記ＯＡＭ変換データベースは、Ｙ．１７３１ベースのＯＡＭパケットをＢＦＤベースのＯＡＭパケットに変換するための情報を保持し、前記ＯＡＭ変換部は、Ｙ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドを、ＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドにそれぞれマッピングし、前記パケット多重部は、前記ＯＡＭ変換部が変換した前記ＢＦＤベースのＯＡＭパケットと前記パケット分離部が分離したデータパケットとを多重し、前記送信部は、前記パケット多重部が多重したＭＰＬＳ−ＴＰに対応するパケットを後段の装置に送信することを特徴とする。
【００１５】
これにより、Ｙ．１７３１ベースＯＡＭしかサポートしていない装置からＢＦＤベースＯＡＭしかサポートしていない装置へのＯＡＭパケットの変換を行うことができ、Ｙ．１７３１ベースＯＡＭとＢＦＤベースＯＡＭとが混在するネットワークでもパス監視を行うことができる。
【００１６】
または、前記受信部は、前段の装置からＭＰＬＳ−ＴＰに対応するパケットを受信し、前記パケット分離部は、前記受信部が前段の装置から受信するＭＰＬＳ−ＴＰに対応するパケットをデータパケットとＢＦＤベースのＯＡＭパケットとに分離し、前記ＯＡＭ変換データベースは、ＢＦＤベースのＯＡＭパケットをＹ．１７３１ベースのＯＡＭパケットに変換するための情報を保持し、前記ＯＡＭ変換部は、ＢＦＤベースのＯＡＭパケットのＬＳＰラベル、ＧＡＬラベル、ＴＣおよびＴＴＬで構成されるＭＰＬＳ−ＴＰラベルヘッダ、Ｃｈａｎｎｅｌ  Ｔｙｐｅ及びＯＡＭ種別別情報フィールドを、Ｙ．１７３１ベースのＯＡＭパケットのＬＳＰラベル、ＧＡＬラベル、ＴＣおよびＴＴＬで構成されるＭＰＬＳ−ＴＰラベルヘッダ、ＯｐＣｏｄｅ及びＯＡＭ種別別情報フィールドにそれぞれマッピングし、前記パケット多重部は、前記ＯＡＭ変換部が変換したＹ．１７３１ベースのＯＡＭパケットと前記パケット分離部が分離したデータパケットとを多重し、前記送信部は、前記パケット多重部が多重したＭＰＬＳ−ＴＰに対応するパケットを後段の装置に送信することを特徴とする。
【００１７】
これにより、ＢＦＤベースＯＡＭしかサポートしていない装置からＹ．１７３１ベースＯＡＭしかサポートしていない装置へのＯＡＭパケットの変換を行うことができ、ＢＦＤベースＯＡＭとＹ．１７３１ベースＯＡＭとが混在するネットワークでもパス監視を行うことができる。
【００１８】
特に、前記マッピング時にＹ．１７３１規格のＯＡＭパケットとＢＦＤ規格のＯＡＭパケットとの間に対応する情報が無いデータ領域に、予め設定されたデフォルトデータをマッピングすることを特徴とする。
【００１９】
さらに、ＭＰＬＳ−ＴＰに対応するパケットのＬＳＰラベルに基づいてスイッチングするスイッチ部を更に設け、ＭＰＬＳ−ＴＰスイッチとして動作することを特徴とする。
【００２０】
また、ＯＡＭパケットのコマンドに基づいたＯＡＭ処理を行うＯＡＭ処理部を更に設け、前記パケット分離部は、ＯＡＭ変換を行うパケットと、ＯＡＭ変換を行わないパケットとを判別して、ＯＡＭ変換を行うＯＡＭパケットをＯＡＭ変換部に出力し、ＯＡＭ変換を行わないＯＡＭパケットは前記パケット多重部に出力することを特徴とする。
【発明の効果】
【００２１】
本発明に係るＯＡＭパケット変換方法およびＯＡＭパケット変換装置は、ＢＦＤベースのＯＡＭしかサポートしていない装置とＹ．１７３１ベースのＯＡＭしかサポートしていない装置とを接続した場合でも、パス監視を行うことができる。
【図面の簡単な説明】
【００２２】
【図１】ＢＦＤベースＯＡＭからＹ．１７３１ベースＯＡＭに変換する場合のネットワーク１００の構成例を示す図である。
【図２】ＢＦＤベースＯＡＭパケットと、Ｙ．１７３１ベースＯＡＭパケットのフォーマット例を示す図である。
【図３】ＯＡＭ変換装置１０３の構成例を示す図である。
【図４】ＯＡＭ変換装置１０３の処理を示すフローチャートである。
【図５】Ｙ．１７３１ベースＯＡＭからＢＦＤベースＯＡＭに変換する場合のネットワーク１００の構成例を示す図である。
【図６】ＯＡＭ変換装置１０３の処理を示すフローチャートである。
【図７】ＢＦＤベースのＯｎ−ｄｅｍａｎｄ  ＣＶパケットと、Ｙ．１７３１ベースのＬＢパケットのフォーマット例を示す図である。
【図８】Ｔａｒｇｅｔ  ＦＥＣ  ＴＬＶ領域のフォーマット例を示す図である。
【図９】ＢＦＤベースのＣＣパケットと、Ｙ．１７３１ベースのＣＣパケットのフォーマット例を示す図である。
【図１０】ＯＡＭ変換装置１０３の変形例を示す図である。
【発明を実施するための形態】
【００２３】
以下、図面を参照して本発明に係るＯＡＭパケット変換方法およびＯＡＭパケット変換装置の実施形態について説明する。
【００２４】
図１は本実施形態に係るＯＡＭパケット変換方法およびＯＡＭパケット変換装置を用いたネットワーク１００の一例である。ネットワーク１００はＭＰＬＳ−ＴＰに対応するネットワークで、図１では伝送装置１０１から伝送装置１０２にＯＡＭパケットを送信する例を示している。ここで、ネットワーク１００は、異なるＯＡＭ方式に対応する伝送装置が混在するネットワークで、ＯＡＭパケットを伝送装置間で直接伝送することができない。図１の例では、伝送装置１０１はＢＦＤベースのＯＡＭのみをサポートし、伝送装置１０２はＹ．１７３１ベースのＯＡＭのみをサポートする。そこで、本実施形態では、伝送装置１０１と伝送装置１０２との間にＯＡＭ変換装置１０３を配置して、ＢＦＤベースのＯＡＭパケットをＹ．１７３１ベースのＯＡＭパケットに変換して送信する。或いは、Ｙ．１７３１ベースのＯＡＭパケットをＢＦＤベースのＯＡＭパケットに変換して送信する。
【００２５】
図２（ａ）は、ＢＦＤベースのＯＡＭパケットのフォーマット例を示す図である。図２（ａ）において、ＢＦＤベースのＯＡＭパケットは、ＬＳＰラベル、ＴＣ、Ｓ、ＴＴＬ、ＧＡＬラベル、ＴＣ、Ｓ、ＴＴＬ、０００１、Ｖｅｒｓｉｏｎ、ｒｅｓｅｒｖｅｄ、Ｃｈａｎｎｅｌ  Ｔｙｐｅ、ＯＡＭ種別別情報フィールド、とで構成される。ここで、ＬＳＰはＬａｂｅｌ  Ｓｗｉｔｃｈｅｄ  Ｐａｓｓ、ＴＣはＴｒａｆｆｉｃ  Ｃｌａｓｓ、ＳはＢｏｔｔｏｍ  ｏｆ  Ｓｔａｃｋ  Ｉｎｄｉｃａｔｏｒ、ＴＴＬはＴｉｍｅ  Ｔｏ  Ｌｉｖｅ、ＧＡＬはＧ−ＡＣｈ  Ｌａｂｅｌである（詳細は非特許文献参照）。
【００２６】
図２（ｂ）は、Ｙ．１７３１ベースのＯＡＭパケットのフォーマット例を示す図である。図２（ｂ）において、Ｙ．１７３１ベースのＯＡＭパケットは、ＬＳＰラベル、ＴＣ、Ｓ、ＴＴＬ、ＧＡＬラベル、ＴＣ、Ｓ、ＴＴＬ、０００１、Ｖｅｒｓｉｏｎ、ｒｅｓｅｒｖｅｄ、Ｙ．１７３１  Ｃｈａｎｎｅｌ  Ｔｙｐｅ、ＭＥＬ、Ｖｅｒｓｉｏｎ、Ｏｐｃｏｄｅ、Ｆｌａｇｓ、ＴＬＶ  ｏｆｆｓｅｔ、ＯＡＭ種別別情報フィールド、とで構成される。ここで、ＭＥＬはＭＥＧ（Ｍａｉｎｔｅｎａｎｃｅ  Ｅｎｔｉｔｙ  Ｇｒｏｕｐ）  Ｌｅｖｅｌ、ＴＬＶはＴｙｐｅ／Ｌｅｎｇｔｈ／Ｖａｌｕｅである（詳細は非特許文献参照）。
【００２７】
図２において、ＢＦＤベースのＯＡＭパケットのＯＡＭ種別はＣａｎｎｅｌ  Ｔｙｐｅの領域１５２に格納され、Ｙ．１７３１ベースのＯＡＭパケットのＯＡＭ種別はＯｐｃｏｄｅの領域１５５に格納される。
【００２８】
このように、ＯＡＭ種別を示す情報が格納される領域が２つの方式で異なるので、いずれか一方のＯＡＭ方式にしか対応しない伝送装置１０１および伝送装置１０２の間で直接、ＯＡＭパケットを送受信して利用することができない。尚、各ＯＡＭ種別に対応する情報は、両方の方式共にＯＡＭ  ＰＤＵのＯＡＭ種別別情報フィールドに格納されるが、格納位置や情報が全く同じであるとは限らない。
【００２９】
そこで、本実施形態に係るＯＡＭパケット変換装置１０３は、伝送装置１０１から送信されたＢＦＤベースのＯＡＭパケットをＹ．１７３１ベースのＯＡＭパケットに変換して伝送装置１０２に送信する。逆に、伝送装置１０２から送信されたＹ．１７３１ベースのＯＡＭパケットをＢＦＤベースのＯＡＭパケットに変換して伝送装置１０１に送信する。
【００３０】
具体的には、ＯＡＭパケット変換装置１０３は、伝送装置１０１から送信されたＢＦＤベースＯＡＭパケットのＣａｎｎｅｌ  Ｔｙｐｅの領域１５２に格納されているＯＡＭ種別をＹ．１７３１ベースＯＡＭパケットのＯｐｃｏｄｅの領域１５５に各規格に基づいて変換してマッピングする。また、ＯＡＭパケット変換装置１０３は、ＢＦＤベースＯＡＭパケットのＯＡＭ種別別情報フィールド１５３に格納される情報をＹ．１７３１ベースＯＡＭパケットのＯＡＭ種別別情報フィールド１５６に格納位置や値などを変換してマッピングする。
【００３１】
逆に、伝送装置１０２から送信されたＹ．１７３１ベースＯＡＭパケットのＯｐｃｏｄｅの領域１５５に格納されているＯＡＭ種別をＢＦＤベースＯＡＭパケットのＣａｎｎｅｌ  Ｔｙｐｅの領域１５２に各規格に基づいて変換してマッピングする。また、ＯＡＭパケット変換装置１０３は、Ｙ．１７３１ベースＯＡＭパケットのＯＡＭ種別別情報フィールド１５６に格納される情報をＢＦＤベースＯＡＭパケットのＯＡＭ種別別情報フィールド１５３に格納位置や値などを変換してマッピングする。
【００３２】
尚、同じ情報が記憶されているＢＦＤベースＯＡＭパケットの領域１５１の情報は、そのままＹ．１７３１ベースＯＡＭパケットの領域１５４にそのままコピーしてマッピングされる。
【００３３】
このようにして、本実施形態に係るＯＡＭ変換装置１０３は、異なるＯＡＭ方式に対応する伝送装置１０１および伝送装置１０２が混在するネットワークにおいて、ＯＡＭパケットを相互に送受信して各伝送装置の運用・管理・保守を行うことができる。
【００３４】
［ＯＡＭ変換装置１０３の構成例］
次にＯＡＭ変換装置１０３の構成例について詳しく説明する。図３において、ＯＡＭ変換装置１０３は、第１受信部２０１と、第１パケット分離部２０２と、第１ＯＡＭ変換部２０３と、ＯＡＭ変換データベース２０４と、第２パケット多重部２０５と、第２送信部２０６と、第２受信部２０７と、第２パケット分離部２０８と、第２ＯＡＭ変換部２０９と、第１パケット多重部２１０と、第１送信部２１１と、で構成される。
【００３５】
尚、本実施形態の説明では、わかり易いように、フレームとパケットを同様のものとしてパケットに統一して記載するが、実際にはヘッダ部分とデータパケット部分とで構成されるデータフレームまたはヘッダ部分とＯＡＭパケット部分とで構成されるＯＡＭフレームを前段から受信して、各ＯＡＭパケットの情報をＢＦＤベースのＯＡＭパケットとＹ．１７３１ベースのＯＡＭパケットとの間で相互に変換を行った後、各ＯＡＭパケットにヘッダ部分が付加されたＯＡＭフレームと、一旦分離しておいたデータフレームとを後段に送信する。
【００３６】
図３のＯＡＭ変換装置１０３の動作について、図４のフローチャートを用いて説明する。図４のフローチャートは、図１のＢＦＤベースのＯＡＭパケットに対応する伝送装置１０１が送信するＭＰＬＳ−ＴＰパケットをＹ．１７３１ベースのＯＡＭパケットに変換して、Ｙ．１７３１ベースのＯＡＭパケットに対応する伝送装置１０２に送信する場合の処理を示している。
【００３７】
（ステップＳ１０１）第１受信部２０１は、ＢＦＤベースのＯＡＭ方式に対応する前段の伝送装置１０１が送信するＭＰＬＳ−ＴＰに対応するパケットを受信する。
【００３８】
（ステップＳ１０２）第１パケット分離部２０２は、第１受信部２０１から入力するＭＰＬＳ−ＴＰパケットをＢＦＤベースＯＡＭパケットであるか、ＯＡＭ以外のデータパケットであるかを判別する。ＢＦＤベースＯＡＭパケットである場合はステップＳ１０３に進み、ＢＦＤベースＯＡＭパケットではないデータパケットである場合はステップＳ１０５に進む。尚、ＯＡＭパケットであるか否かの判別は、最も内側（最下段）のラベル値（ＧＡＬラベル）に１３が格納されているか否かで判別できる。ＯＡＭパケット以外のパケットは上記ラベル値が１３以外に設定されている。
【００３９】
（ステップＳ１０３）第１ＯＡＭ変換部２０３は、図２（ａ）のＣａｎｎｅｌ  Ｔｙｐｅ領域１５２のＯＡＭ種別と、ＰＤＵ内のＯＡＭ別のデータフィールド１５３に格納されているＯＡＭ種別毎に設定される情報とを検出する。
【００４０】
（ステップＳ１０４）第１ＯＡＭ変換部２０３は、ＯＡＭ種別を基にＯＡＭ変換データベース２０４を参照して、ＢＦＤベースＯＡＭパケットをＹ．１７３１ベースＯＡＭパケットに変換して第２パケット多重部２０５に出力する。尚、変換方法は図２（ａ）および図２（ｂ）で説明したように、ＢＦＤベースＯＡＭパケットのＣａｎｎｅｌ  Ｔｙｐｅの領域１５２に格納されているＯＡＭ種別をＹ．１７３１ベースＯＡＭパケットのＯｐｃｏｄｅの領域１５５にマッピングし、ＢＦＤベースＯＡＭパケットのＯＡＭ種別別情報フィールド１５３に格納される情報をＹ．１７３１ベースＯＡＭパケットのＯＡＭ種別別情報フィールド１５６にマッピングする。ここで、ＯＡＭ種別毎の対応する変換内容や情報フィールドの位置などは、ＯＡＭ変換データベース２０４に予め格納されており、第１ＯＡＭ変換部２０３はＯＡＭ変換データベース２０４を参照して変換処理を実行する。また、ＯＡＭ変換データベース２０４の情報は、保守端末や遠隔監視制御により、適宜、追加や変更を行うことができる。
【００４１】
尚、２つの種類のＯＡＭパケット間で対応関係が無い場合は、ＢＦＤ規格やＹ．１７３１規格の標準規定による予め決められたデフォルト値を挿入する。後で説明するＣＣフレームの変換事例におけるＢＦＤ  ｃｏｎｔｒｏｌ  ｐａｃｋｅｔの「Ｍｙ  Ｄｉｓｃｒｉｍｉｎａｔｏｒ」領域や「Ｙｏｕｒ  Ｄｉｓｃｒｉｍｉｎａｔｏｒ」領域がこのケースに対応する。尚、各規格の標準規定により予め決められたデフォルト情報は、ＯＡＭ変換データベース２０４に予め記憶されている。ここで、デフォルト情報の検索は、例えばポート、ラベル、ＯＡＭ種別などの情報を基に行うことができる。
【００４２】
（ステップＳ１０５）第１パケット分離部２０２は、分離したＯＡＭ以外のデータパケットは第２パケット多重部２０５に転送する。
【００４３】
（ステップＳ１０６）第２パケット多重部２０５は、第１ＯＡＭ変換部２０３が出力する変換処理後のＹ．１７３１ベースのＯＡＭパケットと、第１パケット分離部２０２が分離したＯＡＭパケット以外のデータパケットとを時間的に衝突しないように順番に多重する。
【００４４】
（ステップＳ１０７）第２送信部２０６は、第２パケット多重部２０５が出力するＭＰＬＳ−ＴＰパケットをＹ．１７３１ベースのＯＡＭ方式に対応する伝送装置１０２に送信する。
【００４５】
このようにして、ＯＡＭ変換装置１０３は、ＢＦＤベースＯＡＭパケットに対応する伝送装置１０１が送信するＭＰＬＳ−ＴＰパケットをＹ．１７３１ベースＯＡＭパケットに変換して、Ｙ．１７３１ベースＯＡＭパケットに対応する伝送装置１０２に送信することができる。
【００４６】
次に、図１および図４では、ＢＦＤベースＯＡＭパケットをＹ．１７３１ベースＯＡＭパケットに変換する例について説明したが、ここでは、図５に示すように、Ｙ．１７３１ベースＯＡＭパケットをＢＦＤベースＯＡＭパケットに変換する例について説明する。尚、図５において、図１と同符号のものは同じブロックを示す。ここで、Ｙ．１７３１ベースＯＡＭパケットに対応する伝送装置１０２が送信するＭＰＬＳ−ＴＰパケットをＢＦＤベースＯＡＭパケットに変換して、ＢＦＤベースＯＡＭパケットに対応する伝送装置１０１に送信する場合の処理について、図６のフローチャートを用いて説明する。
【００４７】
（ステップＳ２０１）第２受信部２０７は、Ｙ．１７３１ベースＯＡＭ方式に対応する前段の伝送装置１０２が送信するＭＰＬＳ−ＴＰに対応するパケットを受信する。
【００４８】
（ステップＳ２０２）第２パケット分離部２０８は、第２受信部２０７から入力するＭＰＬＳ−ＴＰパケットがＹ．１７３１ベースＯＡＭパケットであるか、ＯＡＭ以外のデータパケットであるかを判別する。Ｙ．１７３１ベースＯＡＭパケットである場合はステップＳ２０３に進み、Ｙ．１７３１ベースＯＡＭパケットではないデータパケットである場合はステップＳ２０５に進む。尚、Ｙ．１７３１ベースＯＡＭパケットであるか否かの判別は、例えば図２（ｂ）のＯｐｃｏｄｅ領域１５５にＯＡＭ種別が格納されているか否かにより判別できる。
【００４９】
（ステップＳ２０３）第２ＯＡＭ変換部２０９は、図２（ｂ）のＯｐｃｏｄｅ領域１５５のＯＡＭ種別と、ＰＤＵ内のＯＡＭ別のデータフィールド１５６に書き込まれている情報とを検出する。
【００５０】
（ステップＳ２０４）第２ＯＡＭ変換部２０９は、ＯＡＭ種別を基にＯＡＭ変換データベース２０４を参照して、Ｙ．１７３１ベースＯＡＭパケットをＢＦＤベースＯＡＭパケットに変換して第１パケット多重部２１０に出力する。尚、変換の方法は図２（ａ）および図２（ｂ）で説明したように、Ｙ．１７３１ベースＯＡＭパケットのＯｐｃｏｄｅ１５５の領域に格納されているＯＡＭ種別をＢＦＤベースＯＡＭパケットのＣａｎｎｅｌ  Ｔｙｐｅの領域１５２にマッピングし、第２ＯＡＭ変換部２０３は、Ｙ．１７３１ベースＯＡＭパケットのＯＡＭ種別別情報フィールド１５６に格納される情報をＢＦＤベースＯＡＭパケットのＯＡＭ種別別情報フィールド１５３にマッピングする。尚、ＯＡＭ種別毎に対応する変換内容や情報フィールドの格納位置などは、ＯＡＭ変換データベース２０４に予め格納されており、第２ＯＡＭ変換部２０９はＯＡＭ変換データベース２０４を参照して変換処理を実行する。
【００５１】
ここで、２つの種類のＯＡＭパケット間で対応関係が無い場合は、先に説明した図４のステップＳ１０４と同様に、ＢＦＤ規格やＹ．１７３１規格の標準規定による予め決められたデフォルト値を挿入する。
【００５２】
（ステップＳ２０５）第２パケット分離部２０８は、分離したＯＡＭ以外のデータパケットは第１パケット多重部２１０に転送する。
【００５３】
（ステップＳ２０６）第１パケット多重部２１０は、第２ＯＡＭ変換部２０９が出力する変換処理後のＢＦＤベースＯＡＭパケットと、第２パケット分離部２０８が分離したＯＡＭパケット以外のデータパケットとを時間的に衝突しないように順番に多重する。
【００５４】
（ステップＳ２０７）第１送信部２１１は、第１パケット多重部２１０が出力するＭＰＬＳ−ＴＰパケットをＢＦＤベースＯＡＭ方式に対応する伝送装置１０１に送信する。
【００５５】
このようにして、ＯＡＭ変換装置１０３は、Ｙ．１７３１ベースＯＡＭパケットに対応する伝送装置１０２が送信するＭＰＬＳ−ＴＰパケットをＢＦＤベースＯＡＭパケットに変換して、ＢＦＤベースＯＡＭパケットに対応する伝送装置１０１に送信することができる。
【００５６】
［Ｏｎ−ｄｅｍａｎｄ  ＣＶパケットのマッピング例］
次に、Ｏｎ−ｄｅｍａｎｄ  ＣＶ（Ｃｏｎｎｅｃｔｉｖｉｔｙ  Ｖｅｒｉｆｉｃａｔｉｏｎ）パケットのマッピング例について説明する。図７（ａ）は、ＢＦＤベースのＯＡＭパケットでＯｎ−ｄｅｍａｎｄ  ＣＶパケットのフォーマット例を示す図である。
【００５７】
図７（ａ）において、ＢＦＤベースのＯｎ−ｄｅｍａｎｄ  ＣＶパケットは、図７（ａ）のＢＦＤベースのＯＡＭパケットにおいて、Ｃｈａｎｎｅｌ  Ｔｙｐｅの領域１６２にＯｎ−ｄｅｍａｎｄ  ＣＶパケットを示す情報が格納されている。Ｃｈａｎｎｅｌ  Ｔｙｐｅの領域１６２は１６ｂｉｔで構成され、例えばＯｎ−ｄｅｍａｎｄ  ＣＶパケットを示す情報として「０ｘ０００７（１６進数）」のような値が格納される。そして、ＯＡＭ  ＰＤＵのフィールドは、Ｓｅｑｕｅｎｃｅ  Ｎｕｍｂｅｒ領域１６３と、Ｔｉｍｅ  Ｓｔａｍｐ領域１６４と、ＬＳＰ  Ｔａｒｇｅｔ  ＦＥＣ  ＴＬＶ領域１６４とを有する。ここで、ＦＥＣはＦｏｒｗａｒｄｉｎｇ  Ｅｑｕｉｖａｌａｎｃｅ  Ｃｌａｓｓ、ＴＬＶはＴｙｐｅ／Ｌｅｎｇｔｈ／Ｖａｌｕｅをそれぞれ意味する（詳細は非特許文献参照）。例えば、Ｔａｒｇｅｔ  ＦＥＣ  ＴＬＶのフォーマットは、図８に示すように、Ｓｏｕｒｃｅ側とＤｅｓｔｉｎａｔｉｏｎ側のＧｌｏｂａｌ  ＩＤ、Ｎｏｄｅ  ＩＤ、Ｔｕｎｎｅｌ  Ｎｕｍｂｅｒなどがそれぞれ格納されている。
【００５８】
図７（ｂ）は、Ｙ．１７３１ベースのＬＢパケットのフォーマット例を示す図である。尚、Ｙ．１７３１ベースのＯＡＭパケットにはＣＶパケットの種別が無いので、同等の機能を有するＹ．１７３１ベースのＬＢ（Ｌｏｏｐ  Ｂａｃｋ）パケットに変換する。
【００５９】
図７（ｂ）において、Ｙ．１７３１ベースのＬＢパケットは、図２（ｂ）で説明したＯｐｃｏｄｅ領域１６８にＬＢ機能を示す値が格納される。Ｏｐｃｏｄｅ領域１６８は８ｂｉｔで構成され、例えばＬＢパケットを示す情報として「０ｘ０２（１６進数）」のような値が格納される。そして、ＯＡＭ  ＰＤＵのフィールドは、Ｔｒａｎｓａｃｔｉｏｎ／Ｓｅｑｕｅｎｃｅ  Ｎｕｍｂｅｒ領域１６９と、Ｔａｒｇｅｔ  ＭＥＰ／ＭＩＰ  ＩＤ  ＴＬＶ領域１７０とを有する。Ｔａｒｇｅｔ  ＭＥＰ／ＭＩＰ  ＩＤ  ＴＬＶ領域１７０は３２ｂｉｔで構成され、例えば「０ｘ０００００００１（１６進数）」のような値が格納される。ここで、ＭＥＰはＭａｉｎｔｅｎａｎｃｅ  Ｅｎｔｉｔｙ  Ｇｒｏｕｐ  Ｅｎｄ  Ｐｏｉｎｔ、ＭＩＰはＭａｉｎｔｅｎａｎｃｅ  Ｅｎｔｉｔｙ  Ｇｒｏｕｐ  Ｉｎｔｅｒｍｅｄｉａｔｅ  Ｐｏｉｎｔをそれぞれ意味する（詳細は非特許文献参照）。
【００６０】
図７（ａ）および図７（ｂ）に示したＢＦＤベースのＯｎ−ｄｅｍａｎｄ  ＣＶパケットとＹ．１７３１ベースのＬＢパケットとを相互に変換する例は、先に説明した図４のステップＳ１０４および図６のステップＳ２０４の各処理において第１ＯＡＭ変換部２０３または第２ＯＡＭ変換部２０９により実行される。
【００６１】
例えば、図７（ａ）におけるＢＦＤベースのＯｎ−ｄｅｍａｎｄ  ＣＶパケットのＬＳＰラベル、ＴＣ、Ｓ、ＴＴＬ、ＧＡＬラベル、ＴＣ、Ｓ、ＴＴＬとを有する領域１６１と、図７（ｂ）におけるＹ．１７３１ベースのＬＳＰラベル、ＴＣ、Ｓ、ＴＴＬ、ＧＡＬラベル、ＴＣ、Ｓ、ＴＴＬとを有する領域１６７とは一対一に対応するので、第１ＯＡＭ変換部２０３および第２ＯＡＭ変換部２０９は、そのまま各値をコピーして互いにマッピングされる。さらに、ＢＦＤベースのＯｎ−ｄｅｍａｎｄ  ＣＶパケットを示すＣｈａｎｎｅｌ  Ｔｙｐｅ領域１６２の値（例えば「０ｘ０００７（１６進数）」）と、Ｙ．１７３１ベースのＬＢパケットを示すＯｐｃｏｄｅ領域１６８の値（例えば「０ｘ０２（１６進数）」）とはそのまま相互にマッピングできないので、第１ＯＡＭ変換部２０３および第２ＯＡＭ変換部２０９は、ＯＡＭ変換データベース２０４を参照して互いに変換した後、各領域にマッピングする。
【００６２】
このようにして、本実施形態に係るＯＡＭ変換装置１０３は、異なるＯＡＭ方式に対応する伝送装置１０１および伝送装置１０２が混在するネットワークにおいて、ＯＡＭパケットを相互に変換して送受信するので、各伝送装置の運用・管理・保守を行うことができる。
【００６３】
尚、図７（ａ）のＯｎ−ｄｅｍａｎｄ  ＣＶパケット内の領域１６５および領域１６６は対応する情報がないので、ＢＦＤベースのＯＡＭパケットの規格に基づいたデフォルト情報をＯＡＭ変換データベース２０４を参照してマッピングされる。同様に、図７（ｂ）のＬＢパケット内の領域１７１は、ＢＦＤベースのＯＡＭパケットに対応する情報がないので、Ｙ．１７３１ベースのＯＡＭパケットの規格に基づいたデフォルト情報をＯＡＭ変換データベース２０４を参照してマッピングされる。
【００６４】
［ＣＣパケットのマッピング例］
次に、ＣＣ（Ｃｏｎｎｅｃｔｉｖｉｔｙ  Ｃｈｅｃｋ）パケットのマッピング例について説明する。図９（ａ）は、ＢＦＤベースのＯＡＭパケットでＣＣパケットのフォーマット例を示す図である。尚、図９（ａ）および図９（ｂ）では、図２（ａ）および図２（ｂ）のフォーマットの領域１５１や領域１５４など、ここでの説明に関係しない領域は省略してある。
【００６５】
図９（ａ）において、図２（ａ）のＢＦＤベースのＯＡＭパケットのＣｈａｎｎｅｌ  Ｔｙｐｅ領域１８１にＣＣ  ｃｏｄｅ  ｐｏｉｎｔとして０ｘＨＨ（ＨＨはＩＡＮＡ（Ｉｎｔｅｒｎｅｔ  Ａｓｓｉｇｎｅｄ  Ｎｕｍｂｅｒｓ  Ａｕｔｈｏｒｉｔｙ）によって予め割り当てられた値）が格納される。このＣｈａｎｎｅｌ  Ｔｙｐｅ領域１８１の値は、図９（ｂ）のＹ．１７３１ベースのＯｐＣｏｄｅ領域１８５に変換されてマッピングされ、例えばＹ．１７３１ベースのＣＣパケットを示すＣＣＭ（Ｃｏｎｔｉｎｕｉｔｙ  Ｃｈｅｃｋ  Ｍｅｓｓａｇｅ）＝１として格納される。
【００６６】
尚、図９（ａ）のＣＣパケットにおいて、ＳｔａはＳｔａｔｅの略で、現在のＢＦＤセッションの状態を示す。Ｓｔａは、例えば０：ＡｄｍｉｎＤｏｗｎ、１：Ｄｏｗｎ、２：Ｉｎｉｔ、３：Ｕｐをそれぞれ示す。そして、ＢＦＤベースのＣＣパケットのＳｔａ領域１８２の値は、図９（ｂ）に示すように、Ｙ．１７３１ベースのＣＣパケットのＦｌａｇｓ領域内のＲＤＩ（Ｒｅｍｏｔｅ  Ｄｅｆｅｃｔ  Ｉｎｄｉｃａｔｉｏｎ：リモート障害表示）領域１８６の値に変換される。ＲＤＩは、例えばＲＤＩ＝１（Ｔｒｕｅ：障害発生）、ＲＤＩ＝０（Ｆａｌｓｅ：障害なし）のように障害状態を示す。そして、第１ＯＡＭ変換部２０３および第２ＯＡＭ変換部２０９は、例えばＳｔａ＝０または１をＲＤＩ＝１に変換し、Ｓｔａ＝２または３をＲＤＩ＝０に変換する。
【００６７】
同様に、図９（ａ）のＢＦＤベースのＣＣパケットにおける「Ｄｅｓｉｒｅｄ  Ｍｉｎ  ＴＸ  Ｉｎｔｅｒｖａｌ」および「Ｒｅｑｕｉｒｅｄ  Ｍｉｎ  ＲＸ  Ｉｎｔｅｒｖａｌ」の領域１８３の値は、図９（ｂ）のＹ．１７３１ベースのＣＣパケットで同様の機能を有するＦｌａｇｓの「Ｐｅｒｉｏｄ］領域１８７の値としてマッピングされる。ここで、「Ｄｅｓｉｒｅｄ  Ｍｉｎ  ＴＸ  Ｉｎｔｅｒｖａｌ」はＣＣパケットの送信最小間隔を示す値で、「Ｒｅｑｕｉｒｅｄ  Ｍｉｎ  ＲＸ  Ｉｎｔｅｒｖａｌ」は、同様にＣＣパケットの許容できる受信最小間隔を示す値である。これらの値は、Ｙ．１７３１ベースのＣＣパケットの「Ｐｅｒｉｏｄ］領域のフォーマットに合う値に変換されてマッピングされる。例えば、ビット数が異なるので、表記できる時間の単位や大きさを調整してマッピングされる。また、送信と受信とで最小時間が異なる場合はいずれか大きい方または小さい方の値をマッピングしてもよい。
【００６８】
このようにして、ＢＦＤベースのＣＣパケットとＹ．１７３１ベースのＣＣパケットとの間で対応関係がある情報は、対応関係にある領域に格納されている値をそのまま或いは変換してマッピングする。
【００６９】
ここで、図９（ａ）の「Ｍｙ  Ｄｉｓｃｒｉｍｉｎａｔｏｒ」および「Ｙｏｕｒ  Ｄｉｓｃｒｉｍｉｎａｔｏｒ」領域１８４は、Ｙ．１７３１ベースのＣＣパケットに対応する領域が無いので、例えばＹ．１７３１ベースのＣＣパケットからＢＦＤベースのＣＣパケットに変換する場合は、「Ｍｙ  Ｄｉｓｃｒｉｍｉｎａｔｏｒ」および「Ｙｏｕｒ  Ｄｉｓｃｒｉｍｉｎａｔｏｒ」領域１８４にＢＦＤベースのＯＡＭパケットの標準規格に基づく０以外のユニークな値（例えば０ｘ１１１１１１１１など）をそれぞれ挿入する。さらに、対応関係が無く、標準規格にも定めされていない領域がある場合は、ＯＡＭパケットに直接無関係しない領域であると見なして０ｘ００を挿入する。
【００７０】
尚、図３で説明したＯＡＭ変換装置１０３の第１パケット分離部２０２および第２パケット分離部２０８は、ＯＡＭ変換を行うＯＡＭパケットと、ＯＡＭ変換を行わないＯＡＭパケットとを分離して、ＯＡＭ変換を行うＯＡＭパケットを第１ＯＡＭ変換部２０３および第２ＯＡＭ変換部２０９にそれぞれ出力し、ＯＡＭ変換を行わないＯＡＭパケットを第２パケット多重部２０５および第１パケット多重部２１０にそれぞれ出力する。
【００７１】
例えばＹ．１７３１ベースのＯＡＭパケットをＢＦＤベースのＯＡＭパケットに変換せずに転送する場合はＹ．１７３１ベースのＯＡＭパケットを変換せずに後段の装置に転送し、同様に、ＢＦＤベースのＯＡＭパケットをＹ．１７３１ベースのＯＡＭパケットに変換せずに転送する場合はＢＦＤベースのＯＡＭパケットを変換せずに後段の装置に転送する。
【００７２】
［変形例］
次に、図３で説明したＯＡＭ変換装置１０３の変形例について図１０を用いて説明する。図３のＯＡＭ変換装置１０３では、異なる方式のＯＡＭパケットを変換する機能のみについて説明したが、図１０のＯＡＭ変換装置１０３は、図３のＯＡＭ変換装置１０３に、スイッチ部２１２（スイッチ部２１２ａ、２１２ｂ）を設け、第１送信部２１１および第２送信部２０６の代わりに、複数の送信部２１１ａから送信部２１１ｂおよび複数の送信部２０６ａから送信部２０６ｂをスイッチ部２１２の後に配置している。
【００７３】
図１０において、スイッチ部２１２ａは、第２パケット多重部２０５から入力するＭＰＬＳ−ＴＰパケットのＬＳＰラベルに基づいてどの送信ポート（図１０の例では送信部２１１ａから送信部２１１ｂの複数の送信部）に転送すればよいかを判断し、該当する送信部２１１ａから送信部２１１ｂのいずれかに出力する。同様に、スイッチ部２１２ｂは、第１パケット多重部２１０から入力するＭＰＬＳ−ＴＰパケットのＬＳＰラベルに基づいてどの送信ポート（図１０の例では送信部２０６ａから送信部２０６ｂの複数の送信部）に転送すればよいかを判断し、該当する送信部２０６ａから送信部２０６ｂのいずれかに出力する。
【００７４】
このようにして、ＯＡＭ変換装置１０３は、異なる方式のＯＡＭパケットを変換するだけでなく、ＭＰＬＳ−ＴＰスイッチとしても動作する。
【００７５】
尚、図１０で説明したＯＡＭ変換装置１０３の第１パケット分離部２０２および第２パケット分離部２０８は、ＯＡＭ変換を行うＯＡＭパケットと、ＯＡＭ変換を行わないＯＡＭパケットとを分離して、ＯＡＭ変換を行うＯＡＭパケットを第１ＯＡＭ変換部２０３および第２ＯＡＭ変換部２０９にそれぞれ出力し、ＯＡＭ変換を行わないＯＡＭパケットを第２パケット多重部２０５および第１パケット多重部２１０にそれぞれ出力する。
【００７６】
例えばＹ．１７３１ベースのＯＡＭパケットをＹ.１７３１ベース装置へ転送するパケットについては変換せずに転送を行い、ＢＦＤベース装置へ転送するパケットについてはＯＡＭ変換を行い、後段装置に転送する。同様に、ＢＦＤベースのＯＡＭパケットをＢＦＤベース装置へ転送するパケットについては変換せずに転送を行い、Ｙ．１７３１ベース装置へ転送するパケットについてはＯＡＭ変換を行い、後段装置に転送する。
【００７７】
以上、各実施形態で説明したように、本発明に係るＯＡＭパケット変換方法およびＯＡＭパケット変換装置１０３は、ＢＦＤベースのＯＡＭしかサポートしていない装置とＹ．１７３１ベースのＯＡＭしかサポートしていない装置とが混在するネットワークであっても異なる方式のＯＡＭパケットを相互に変換して転送することにより、ネットワーク内のパス監視を行うことができる。
【００７８】
尚、本発明に係るＯＡＭパケット変換方法及びＯＡＭパケット変換装置について、各実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００７９】
１００・・・ネットワーク
１０１・・・伝送装置
１０２・・・伝送装置
１０３・・・ＯＡＭ変換装置
２０１・・・第１受信部
２０２・・・第１パケット分離部
２０３・・・第１ＯＡＭ変換部
２０４・・・ＯＡＭ変換データベース
２０５・・・第２パケット多重部
２０６・・・第２送信部
２０７・・・第２受信部
２０８・・・第２パケット分離部
２０９・・・第２ＯＡＭ変換部
２１０・・・第１パケット多重部
２１１・・・第１送信部
２０６ａ、２０６ｂ、２１１ａ、２１１ｂ・・・送信部
２１２、２１２ａ、２１２ｂ・・・スイッチ部
【図１】
2013005028.tif 000003
【図２】
2013005028.tif 000004
【図３】
2013005028.tif 000005
【図４】
2013005028.tif 000006
【図５】
2013005028.tif 000007
【図６】
2013005028.tif 000008
【図７】
2013005028.tif 000009
【図８】
2013005028.tif 000010
【図９】
2013005028.tif 000011
【図１０】
2013005028.tif 000012